【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
入力画像を記録する画像記録装置であって、
入力された電気信号に基づいて前記入力画像を生成する画像生成部と、
前記画像生成部で生成された前記入力画像に含まれる複数のフレームのうち所定の時間間隔毎に抽出された複数の前記フレームを時系列に並べて独立して再生可能な動画像である第１のフレーム群を生成すると共に、前記複数のフレームのうちの前記第１のフレーム群に含まれない複数の前記フレームから第２のフレーム群を生成する画像変換部と、
前記画像変換部で生成された前記第１のフレーム群を符号化して第１のストリームを出力すると共に、前記画像変換部で生成された前記第２のフレーム群を符号化して第２のストリームを出力する画像符号化部と、
前記画像符号化部で符号化された前記第１及び第２のストリームを記録媒体に記録する記録部とを備える
画像記録装置。
【請求項２】
前記画像変換部は、前記第１のフレーム群の時間的に隣接する前記フレームの間に位置する複数の前記フレームの互いに異なる領域から抽出した画素を合成して得られる合成フレームを時系列に並べて前記第２のフレーム群を生成する
請求項１に記載の画像記録装置。
【請求項３】
前記画像変換部は、前記複数のフレームから行単位及び列単位の少なくともいずれか一方で画素を間引いた残りの画素を合成して前記合成ファイルを生成する
請求項２に記載の画像記録装置。
【請求項４】
前記入力画像は、プログレッシブ画像である
請求項２又は３に記載の画像記録装置。
【請求項５】
前記画像変換部は、
前記複数のフレームからＮ（Ｎは自然数）枚おきにＮ枚の前記フレームを抽出し、時間的に連続するＮ枚の前記フレームを合成して得られる第１の合成フレームを時系列に並べて前記第１のフレーム群を生成し、
前記第１のフレーム群に含まれない前記複数のフレームのうち、時間的に連続するＮ枚の前記フレームを合成して得られる第２の合成フレームを時系列に並べて前記第２のフレーム群を生成する
請求項１に記載の画像記録装置。
【請求項６】
前記入力画像は、インタレース画像である
請求項５に記載の画像記録装置。
【請求項７】
前記第１のフレーム群と前記第２のフレーム群とは、画面サイズ及びフレームレートが同一である
請求項１〜６のいずれか１項に記載の画像記録装置。
【請求項８】
請求項１〜７のいずれか１項に記載の画像記録装置と、
光を電気信号に変換し、前記画像生成部に出力する撮像部とを備える
カメラ。
【請求項９】
前記画像変換部は、前記第１のフレーム群の時間的に隣接する前記フレームの間に位置する複数の前記フレームの互いに異なる領域から抽出した画素を合成して得られる合成フレームを時系列に並べて前記第２のフレーム群を生成する
請求項８に記載のカメラ。
【請求項１０】
該カメラは、さらに、前記撮像部に前記第１のフレーム群に含まれない複数の前記フレームそれぞれから前記合成フレームを構成する画素に対応する電気信号のみを抽出して出力させる読み出し制御部を備える
請求項９に記載のカメラ。
【請求項１１】
請求項１に記載の画像記録装置により記録された画像を再生する画像再生装置であって、
再生モードとして通常再生及びスロー再生の一方を指示する再生モード指示部と、
前記記録媒体からストリームを読み出す読み出し部と、
前記読み出し部により読み出されたストリームを復号する復号部と、
前記復号部により復号されたフレーム群を再生する画像再構成部とを備え、
前記再生モード指示部により通常再生が指示された場合において、
前記読み出し部は、前記記録媒体に記録された第１のストリームを読み出し、
前記復号部は、前記読み出し部により読み出された第１のストリームを復号化し、
前記画像再構成部は、前記復号化部により復号化された第１のフレーム群をそのまま再生し、
前記再生モード指示部によりスロー再生が指示された場合において、
前記読み出し部は、前記記録媒体に記録された第１及び第２のストリームの両方を読み出し、
前記復号部は、前記読み出し部により読み出された第１及び第２のストリームをそれぞれ復号化し、
前記画像再構成部は、前記復号化部により復号化された第１及び第２のフレーム群に含まれる複数のフレームを時系列に並び替えて再生する
画像再生装置。
【請求項１２】
入力画像を記録する画像記録方法であって、
入力された電気信号に基づいて前記入力画像を生成する画像生成ステップと、
前記画像生成ステップで生成された前記入力画像に含まれる複数のフレームのうち所定の時間間隔毎に抽出された複数の前記フレームを時系列に並べて独立して再生可能な動画像である第１のフレーム群を生成すると共に、前記複数のフレームのうちの前記第１のフレーム群に含まれない複数の前記フレームから第２のフレーム群を生成する画像変換ステップと、
前記画像変換ステップで生成された前記第１のフレーム群を符号化して第１のストリームを出力すると共に、前記画像変換ステップで生成された前記第２のフレーム群を符号化して第２のストリームを出力する画像符号化ステップと、
前記画像符号化ステップで符号化された前記第１及び第２のストリームを記録媒体に記録する記録ステップとを含む
画像記録方法。
【請求項１３】
請求項１に記載の画像記録装置により記録された画像を再生する画像再生方法であって、
再生モードとして通常再生及びスロー再生の一方を指示する再生モード指示ステップと、
前記記録媒体からストリームを読み出す読み出しステップと、
前記読み出しステップにより読み出されたストリームを復号する復号ステップと、
前記復号ステップにより復号されたフレーム群を再生する画像再構成ステップとを含み、
前記再生モード指示ステップにより通常再生が指示された場合において、
前記読み出しステップは、前記記録媒体に記録された第１のストリームを読み出し、
前記復号ステップは、前記読み出しステップにより読み出された第１のストリームを復号化し、
前記画像再構成ステップは、前記復号化ステップにより復号化された第１のフレーム群をそのまま再生し、
前記再生モード指示ステップによりスロー再生が指示された場合において、
前記読み出しステップは、前記記録媒体に記録された第１及び第２のストリームの両方を読み出し、
前記復号ステップは、前記読み出しステップにより読み出された第１及び第２のストリームをそれぞれ復号化し、
前記画像再構成ステップは、前記復号化ステップにより復号化された第１及び第２のフレーム群に含まれる複数のフレームを時系列に並び替えて再生する
画像再生方法。
【請求項１４】
コンピュータに入力画像を記録させるプログラムであって、
入力された電気信号に基づいて前記入力画像を生成する画像生成ステップと、
前記画像生成ステップで生成された前記入力画像に含まれる複数のフレームのうち所定の時間間隔毎に抽出された複数の前記フレームを時系列に並べて独立して再生可能な動画像である第１のフレーム群を生成すると共に、前記複数のフレームのうちの前記第１のフレーム群に含まれない複数の前記フレームから第２のフレーム群を生成する画像変換ステップと、
前記画像変換ステップで生成された前記第１のフレーム群を符号化して第１のストリームを出力すると共に、前記画像変換ステップで生成された前記第２のフレーム群を符号化して第２のストリームを出力する画像符号化ステップと、
前記画像符号化ステップで符号化された前記第１及び第２のストリームを記録媒体に記録する記録ステップとを含む
プログラム。
【請求項１５】
コンピュータに、請求項１に記載の画像記録装置により記録された画像を再生させるプログラムであって、
再生モードとして通常再生及びスロー再生の一方を指示する再生モード指示ステップと、
前記記録媒体からストリームを読み出す読み出しステップと、
前記読み出しステップにより読み出されたストリームを復号する復号ステップと、
前記復号ステップにより復号されたフレーム群を再生する画像再構成ステップとを含み、
前記再生モード指示ステップにより通常再生が指示された場合において、
前記読み出しステップは、前記記録媒体に記録された第１のストリームを読み出し、
前記復号ステップは、前記読み出しステップにより読み出された第１のストリームを復号化し、
前記画像再構成ステップは、前記復号化ステップにより復号化された第１のフレーム群をそのまま再生し、
前記再生モード指示ステップによりスロー再生が指示された場合において、
前記読み出しステップは、前記記録媒体に記録された第１及び第２のストリームの両方を読み出し、
前記復号ステップは、前記読み出しステップにより読み出された第１及び第２のストリームをそれぞれ復号化し、
前記画像再構成ステップは、前記復号化ステップにより復号化された第１及び第２のフレーム群に含まれる複数のフレームを時系列に並び替えて再生する
プログラム。
【請求項１６】
入力画像を符号化する集積回路であって、
前記入力画像に含まれる複数のフレームのうち所定の時間間隔毎に抽出された複数の前記フレームを時系列に並べて独立して再生可能な動画像である第１のフレーム群を生成すると共に、前記複数のフレームのうちの前記第１のフレーム群に含まれない複数の前記フレームから第２のフレーム群を生成する画像変換部と、
前記画像変換部で生成された前記第１のフレーム群を符号化して第１のストリームを出力すると共に、前記画像変換部で生成された前記第２のフレーム群を符号化して第２のストリームを出力する画像符号化部とを備える
集積回路。
【請求項１７】
請求項１に記載の画像記録装置により記録媒体に記録された画像を再生する集積回路であって、
入力されたストリームを復号する復号部と、
前記復号部により復号されたフレーム群を再生する画像再構成部とを備え、
前記記録媒体に記録されている第１のストリームが入力されると共に通常再生が指示された場合において、
前記復号部は、前記読み出し部により読み出された第１のストリームを復号化し、
前記画像再構成部は、前記復号化部により復号化された第１のフレーム群をそのまま再生し、
前記記録媒体に記録されている第１及び第２のストリームが入力されると共にスロー再生が指示された場合において、
前記復号部は、前記読み出し部により読み出された第１及び第２のストリームをそれぞれ復号化し、
前記画像再構成部は、前記復号化部により復号化された第１及び第２のフレーム群に含まれる複数のフレームを時系列に並び替えて再生する
集積回路。
【手続補正２】
【補正対象書類名】明細書
【補正対象項目名】０００６
【補正方法】変更
【補正の内容】
【０００６】
本発明に係る画像記録装置は、入力画像を記録する画像記録装置であって、入力された電気信号に基づいて前記入力画像を生成する画像生成部と、前記画像生成部で生成された前記入力画像に含まれる複数のフレームのうち所定の時間間隔毎に抽出された複数の前記フレームを時系列に並べて独立して再生可能な第１のフレーム群を生成すると共に、前記複数のフレームのうちの前記第１のフレーム群に含まれない複数の前記フレームから第２のフレーム群を生成する画像変換部と、前記画像変換部で生成された前記第１のフレーム群を符号化して第１のストリームを出力すると共に、前記画像変換部で生成された前記第２のフレーム群を符号化して第２のストリームを出力する画像符号化部と、前記画像符号化部で符号化された前記第１及び第２のストリームを記録媒体に記録する記録部とを備える。
【手続補正３】
【補正対象書類名】明細書
【補正対象項目名】０００７
【補正方法】変更
【補正の内容】
【０００７】
また、前記画像変換部は、前記第１のフレーム群の時間的に隣接する前記フレームの間に位置する複数の前記フレームの互いに異なる領域から抽出した画素を合成して得られる合成フレームを時系列に並べて前記第２のフレーム群を生成してもよい。
【手続補正４】
【補正対象書類名】明細書
【補正対象項目名】０００８
【補正方法】変更
【補正の内容】
【０００８】
また、前記画像変換部は、前記複数のフレームから行単位及び列単位の少なくともいずれか一方で画素を間引いた残りの画素を合成して前記合成ファイルを生成してもよい。また、前記入力画像は、プログレッシブ画像であってもよい。
【手続補正５】
【補正対象書類名】明細書
【補正対象項目名】０００９
【補正方法】変更
【補正の内容】
【０００９】
また、前記画像変換部は、前記複数のフレームからＮ（Ｎは自然数）枚おきにＮ枚の前記フレームを抽出し、時間的に連続するＮ枚の前記フレームを合成して得られる第１の合成フレームを時系列に並べて前記第１のフレーム群を生成し、前記第１のフレーム群に含まれない前記複数のフレームのうち、時間的に連続するＮ枚の前記フレームを合成して得られる第２の合成フレームを時系列に並べて前記第２のフレーム群を生成してもよい。また、前記入力画像は、インタレース画像であってもよい。
【手続補正６】
【補正対象書類名】明細書
【補正対象項目名】００１０
【補正方法】変更
【補正の内容】
【００１０】
また、前記第１のフレーム群と前記第２のフレーム群とは、画面サイズ及びフレームレートが同一であってもよい。
【手続補正７】
【補正対象書類名】明細書
【補正対象項目名】００１１
【補正方法】変更
【補正の内容】
【００１１】
この発明に係るカメラは、上記記載の画像記録装置と、光を電気信号に変換し、前記画像生成部に出力する撮像部とを備える。また、前記画像変換部は、前記第１のフレーム群の時間的に隣接する前記フレームの間に位置する複数の前記フレームの互いに異なる領域から抽出した画素を合成して得られる合成フレームを時系列に並べて前記第２のフレーム群を生成してもよい。また、該カメラは、さらに、前記撮像部に前記第１のフレーム群に含まれない複数の前記フレームそれぞれから前記合成フレームを構成する画素に対応する電気信号のみを抽出して出力させる読み出し制御部を備えてもよい。
【手続補正８】
【補正対象書類名】明細書
【補正対象項目名】００１２
【補正方法】変更
【補正の内容】
【００１２】
この発明に係る画像再生装置は、上記記載の画像記録装置により記録された画像を再生する画像再生装置であって、再生モードとして通常再生及びスロー再生の一方を指示する再生モード指示部と、前記記録媒体からストリームを読み出す読み出し部と、前記読み出し部により読み出されたストリームを復号する復号部と、前記復号部により復号されたフレーム群を再生する画像再構成部とを備える。そして、前記再生モード指示部により通常再生が指示された場合において、前記読み出し部は、前記記録媒体に記録された第１のストリームを読み出し、前記復号部は、前記読み出し部により読み出された第１のストリームを復号化し、前記画像再構成部は、前記復号化部により復号化された第１のフレーム群をそのまま再生する。一方、前記再生モード指示部によりスロー再生が指示された場合において、前記読み出し部は、前記記録媒体に記録された第１及び第２のストリームの両方を読み出し、前記復号部は、前記読み出し部により読み出された第１及び第２のストリームをそれぞれ復号化し、前記画像再構成部は、前記復号化部により復号化された第１及び第２のフレーム群に含まれる複数のフレームを時系列に並び替えて再生する。
この発明に係る画像記録方法は、入力画像を記録する画像記録方法であって、入力された電気信号に基づいて前記入力画像を生成する画像生成ステップと、前記画像生成ステップで生成された前記入力画像に含まれる複数のフレームのうち所定の時間間隔毎に抽出された複数の前記フレームを時系列に並べて独立して再生可能な第１のフレーム群を生成すると共に、前記複数のフレームのうちの前記第１のフレーム群に含まれない複数の前記フレームから第２のフレーム群を生成する画像変換ステップと、前記画像変換ステップで生成された前記第１のフレーム群を符号化して第１のストリームを出力すると共に、前記画像変換ステップで生成された前記第２のフレーム群を符号化して第２のストリームを出力する画像符号化ステップと、前記画像符号化ステップで符号化された前記第１及び第２のストリームを記録媒体に記録する記録ステップとを含む。
この発明に係る画像再生方法は、上記記載の画像記録装置により記録された画像を再生する画像再生方法であって、再生モードとして通常再生及びスロー再生の一方を指示する再生モード指示ステップと、前記記録媒体からストリームを読み出す読み出しステップと、前記読み出しステップにより読み出されたストリームを復号する復号ステップと、前記復号ステップにより復号されたフレーム群を再生する画像再構成ステップとを備える。そして、前記再生モード指示ステップにより通常再生が指示された場合において、前記読み出しステップは、前記記録媒体に記録された第１のストリームを読み出し、前記復号ステップは、前記読み出しステップにより読み出された第１のストリームを復号化し、前記画像再構成ステップは、前記復号化ステップにより復号化された第１のフレーム群をそのまま再生する。一方、前記再生モード指示ステップによりスロー再生が指示された場合において、前記読み出しステップは、前記記録媒体に記録された第１及び第２のストリームの両方を読み出し、前記復号ステップは、前記読み出しステップにより読み出された第１及び第２のストリームをそれぞれ復号化し、前記画像再構成ステップは、前記復号化ステップにより復号化された第１及び第２のフレーム群に含まれる複数のフレームを時系列に並び替えて再生する。
この発明に係るプログラムは、コンピュータに入力画像を記録させるプログラムであって、入力された電気信号に基づいて前記入力画像を生成する画像生成ステップと、前記画像生成ステップで生成された前記入力画像に含まれる複数のフレームのうち所定の時間間隔毎に抽出された複数の前記フレームを時系列に並べて独立して再生可能な第１のフレーム群を生成すると共に、前記複数のフレームのうちの前記第１のフレーム群に含まれない複数の前記フレームから第２のフレーム群を生成する画像変換ステップと、前記画像変換ステップで生成された前記第１のフレーム群を符号化して第１のストリームを出力すると共に、前記画像変換ステップで生成された前記第２のフレーム群を符号化して第２のストリームを出力する画像符号化ステップと、前記画像符号化ステップで符号化された前記第１及び第２のストリームを記録媒体に記録する記録ステップとを含む。
この発明に係るプログラムは、コンピュータに、上記記載の画像記録装置により記録された画像を再生させるプログラムであって、再生モードとして通常再生及びスロー再生の一方を指示する再生モード指示ステップと、前記記録媒体からストリームを読み出す読み出しステップと、前記読み出しステップにより読み出されたストリームを復号する復号ステップと、前記復号ステップにより復号されたフレーム群を再生する画像再構成ステップとを含む。そして、前記再生モード指示ステップにより通常再生が指示された場合において、前記読み出しステップは、前記記録媒体に記録された第１のストリームを読み出し、前記復号ステップは、前記読み出しステップにより読み出された第１のストリームを復号化し、前記画像再構成ステップは、前記復号化ステップにより復号化された第１のフレーム群をそのまま再生する。一方、前記再生モード指示ステップによりスロー再生が指示された場合において、前記読み出しステップは、前記記録媒体に記録された第１及び第２のストリームの両方を読み出し、前記復号ステップは、前記読み出しステップにより読み出された第１及び第２のストリームをそれぞれ復号化し、前記画像再構成ステップは、前記復号化ステップにより復号化された第１及び第２のフレーム群に含まれる複数のフレームを時系列に並び替えて再生する。
この発明に係る集積回路は、入力画像を符号化する集積回路であって、前記入力画像に含まれる複数のフレームのうち所定の時間間隔毎に抽出された複数の前記フレームを時系列に並べて独立して再生可能な第１のフレーム群を生成すると共に、前記複数のフレームのうちの前記第１のフレーム群に含まれない複数の前記フレームから第２のフレーム群を生成する画像変換部と、前記画像変換部で生成された前記第１のフレーム群を符号化して第１のストリームを出力すると共に、前記画像変換部で生成された前記第２のフレーム群を符号化して第２のストリームを出力する画像符号化部とを備える。
この発明に係る集積回路は、上記記載の画像記録装置により記録媒体に記録された画像を再生する集積回路であって、入力されたストリームを復号する復号部と、前記復号部により復号されたフレーム群を再生する画像再構成部とを備える。そして、前記記録媒体に記録されている第１のストリームが入力されると共に通常再生が指示された場合において、前記復号部は、前記読み出し部により読み出された第１のストリームを復号化し、前記画像再構成部は、前記復号化部により復号化された第１のフレーム群をそのまま再生する。一方、前記記録媒体に記録されている第１及び第２のストリームが入力されると共にスロー再生が指示された場合において、前記復号部は、前記読み出し部により読み出された第１及び第２のストリームをそれぞれ復号化し、前記画像再構成部は、前記復号化部により復号化された第１及び第２のフレーム群に含まれる複数のフレームを時系列に並び替えて再生する。